(57)【要約】本発明が提供する商品の偽造防止検証システムは、前記製造端が製造する商品上に検証情報群を有し、前記製造端は、データ処理ユニットを有し、前記製造端が前記販売許可を受けた販売端へ商品を提供し、前記販売許可を受けた販売端は、情報表示ユニットを有し、前記消費者端は、前記販売許可を受けた販売端から前記商品を取得し、前記消費者端は、フィードバックユニットを介して前記検証情報群を前記製造端の前記データ処理ユニットへフィードバックし、前記データ処理ユニットは、比べた後に前記演算ユニットにランダム又は非ランダムにマッチング検証情報を生成させ、前記販売許可を受けた販売端の前記情報表示ユニット及び前記消費者端の前記フィードバックユニットへ伝送し、前記消費者端の前記フィードバックユニットが受信した前記マッチング検証情報が、前記販売許可を受けた販売端の前記情報表示ユニットが受信した前記マッチング検証情報と一致することを確認すると、前記販売許可を受けた販売端が、前記製造端が承認した販売許可を受けた者であることを認証する。本発明は、消費者が商品を購入する際、製造メーカから販売許可を受けた販売店である購入源であるか検証することができる。【選択図】図１
2017511548.tif 000002
【特許請求の範囲】
【請求項１】
製造端と、少なくとも１つの販売許可を受けた販売端と、消費者端と、を含む商品の偽造防止検証システムであって、
前記製造端は、商品を製造し、前記商品上には検証情報群を有し、前記検証情報群は、商品情報及び使用許可身分検証情報を含み、前記製造端は、データ処理ユニットを有し、前記データ処理ユニットは、演算ユニット及び記憶ユニットを少なくとも含み、前記記憶ユニットには、検証データ群が記憶され、
前記少なくとも１つの販売許可を受けた販売端には、前記製造端が前記商品を提供し、前記販売許可を受けた販売端は、情報表示ユニットを有し、前記販売許可を受けた販売端の身分識別として前記使用許可身分検証情報を用い、
前記消費者端は、前記販売許可を受けた販売端から前記商品を取得し、前記消費者端は、フィードバックユニットを介して前記商品情報及び前記使用許可身分検証情報を一緒に前記製造端の前記データ処理ユニットへフィードバックし、前記データ処理ユニットは、受けとった前記商品情報と前記使用許可身分検証情報との組合せと、前記記憶ユニット中に記憶した前記検証情報群とが一致するか比べ、一致するときに前記演算ユニットがランダム又は非ランダムにマッチング検証情報を生成し、前記使用許可身分検証情報が指し示す前記販売許可を受けた販売端は、前記販売許可を受けた販売端の前記情報表示ユニット及び前記消費者端の前記フィードバックユニットへマッチング検証情報を同時に伝送し、前記消費者端の前記フィードバックユニットが受信した前記マッチング検証情報が、前記販売許可を受けた販売端の前記情報表示ユニットが受信した前記マッチング検証情報と一致することを確認すると、前記販売許可を受けた販売端が、前記製造端が承認した販売許可を受けた者であることを認証することを特徴とする、
商品の偽造防止検証システム。
【請求項２】
前記製造端の前記検証情報群が前記消費者端の前記フィードバックユニットからフィードバックされた前記商品情報及び前記使用許可身分検証情報を受信すると、前記演算ユニットが前記マッチング検証情報を前記消費者端へフィードバックする以外に、販売端身分説明情報を前記消費者端へフィードバックし、前記消費者端の判断が一致するか否かを補助することを特徴とする請求項１に記載の商品の偽造防止検証システム。
【請求項３】
前記演算ユニットは、前記マッチング検証情報を前記消費者端及び前記販売許可を受けた販売端へフィードバックする以外に、フィードバック時間情報を前記消費者端及び前記販売許可を受けた販売端へフィードバックしてマッチングを補助することを特徴とする請求項１に記載の商品の偽造防止検証システム。
【請求項４】
前記販売許可を受けた販売端は物理的な商店であることを特徴とする請求項１に記載の商品の偽造防止検証システム。
【請求項５】
前記販売許可を受けた販売端はオンラインのネット通販サイトであることを特徴とする請求項１に記載の商品の偽造防止検証システム。
【請求項６】
前記消費者端の前記フィードバックユニットは、電子機器及びフィードバックアプリケーションプログラムを含み、前記フィードバックアプリケーションプログラムは、前記製造端により承認されて前記電子機器に搭載され、前記消費者端は、前記フィードバックアプリケーションプログラムを利用して前記電子機器を介し、前記商品情報及び前記使用許可身分検証情報を前記製造端へ伝送し、前記製造端の前記演算ユニットが前記消費者端へ伝送する前記マッチング検証情報は、前記フィードバックアプリケーションプログラムにより前記電子機器に表示されることを特徴とする請求項１に記載の商品の偽造防止検証システム。
【請求項７】
前記商品情報を前記商品上に表現する形式は、２次元バーコード、バーコード及び文字コードからなる群から選ばれることを特徴とする請求項１に記載の商品の偽造防止検証システム。
【請求項８】
前記使用許可身分検証情報を前記商品上に表現する形式は、２次元バーコード、バーコード及び文字コードからなる群から選ばれることを特徴とする請求項１に記載の商品の偽造防止検証システム。
【請求項９】
前記マッチング検証情報は、ランダムに生成される１組の文字コードであることを特徴とする請求項１に記載の商品の偽造防止検証システム。
【発明の詳細な説明】
【技術分野】
【０００１】
本発明は、商品の偽造防止検証システムに関し、特に、販売端が製造端から販売許可を受けているか否かを検証する商品の偽造防止検証システムに関する。
【背景技術】
【０００２】
商品が勝手に偽造されて販売されないように、現在、多くの製造メーカは偽造防止措置を商品に施している。例えば、台湾実用新案登録第Ｍ４２３８７９号公報、台湾実用新案登録第Ｍ４７４２０６号公報、台湾特許出願公開第２００７０５２８６号公報又は台湾特許出願公開第２０１３３１８７１号公報で開示されているように、消費者は、製造メーカのホームページ又はアプリケーションプログラムを利用して商品上に貼付けたバーコード又は文字コードが真正であるか確認することができるが、バーコードは偽造が容易であるため、偽造防止の効果には限界があった。
【０００３】
また、商品が真正である場合でも、この商品の販売経路が製造メーカから販売許可を得た経路であるとは限らず、消費者が販売許可を受けていない経路で真正品を購入し、後日、商品に問題が発生した場合、消費者との間に紛糾が発生し、消費者の権益が損なわれる虞があった。
しかし、従来技術では、台湾特許出願公開第２０１１３２０９８号公報しか検証・許可に対して解決策を提出しておらず、当該案では、上述したものと類似するバーコードラベルを使用し、検証した商品が許可を受けたものであるかを調べる。しかし、商品が販売許可を受けた物であるかしか確認することができず、この商品を販売する経路が許可を受けたものであるかを確認することはできなかった。そのため、依然として上述の問題を解決することはできなかった。
【０００４】
そのため、完全な使用許可検証メカニズムを構築し、消費者の権益を保護し、偽造を難しくすることは、業界にとって重要な研究目標であった。
【発明の概要】
【発明が解決しようとする課題】
【０００５】
本発明が解決する技術的問題は、購入した商品が製造端から販売許可を受けた販売端で販売された物であるかをユーザが検証し得る商品の偽造防止検証システムを提供することにある。
【課題を解決するための手段】
【０００６】
上述の技術的問題を解決するために、本発明の技術手段では、商品の偽造防止検証システムが製造端と、少なくとも１つの販売許可を受けた販売端と、消費者端とを含む。前記製造端は、商品を製造し、前記商品上には検証情報群を有し、前記検証情報群は、商品情報及び使用許可身分検証情報を含み、前記製造端は、データ処理ユニットを有し、前記データ処理ユニットは、演算ユニット及び記憶ユニットを少なくとも含み、前記記憶ユニットには、検証データ群が記憶され、前記少なくとも１つの販売許可を受けた販売端には、前記製造端が前記商品を提供し、前記販売許可を受けた販売端は、情報表示ユニットを有し、前記販売許可を受けた販売端の身分識別として前記使用許可身分検証情報を用い、前記消費者端は、前記販売許可を受けた販売端から前記商品を取得し、前記消費者端は、フィードバックユニットを介して前記商品情報及び前記使用許可身分検証情報を一緒に前記製造端の前記データ処理ユニットへフィードバックし、前記データ処理ユニットは、受けとった前記商品情報と前記使用許可身分検証情報との組合せと、前記記憶ユニット中に記憶した前記検証情報群とが一致するか比べ、一致するときに前記演算ユニットがランダム又は非ランダムにマッチング検証情報を生成し、前記使用許可身分検証情報が指し示す前記販売許可を受けた販売端は、前記販売許可を受けた販売端の前記情報表示ユニット及び前記消費者端の前記フィードバックユニットへマッチング検証情報を同時に伝送し、前記消費者端の前記フィードバックユニットが受信した前記マッチング検証情報が、前記販売許可を受けた販売端の前記情報表示ユニットが受信した前記マッチング検証情報と一致することを確認すると、前記販売許可を受けた販売端が、前記製造端が承認した販売許可を受けた者であることを認証する。
【０００７】
更に、前記製造端の前記検証情報群が前記消費者端の前記フィードバックユニットからフィードバックされた前記商品情報及び前記使用許可身分検証情報を受信すると、前記演算ユニットが前記マッチング検証情報を前記消費者端へフィードバックする以外に、販売端身分説明情報を前記消費者端へフィードバックし、前記消費者端の判断が一致するか否かを補助する。
【０００８】
更に、前記演算ユニットは、前記マッチング検証情報を前記消費者端及び前記販売許可を受けた販売端へフィードバックする以外に、フィードバック時間情報を前記消費者端及び前記販売許可を受けた販売端へフィードバックしてマッチングを補助する。
【０００９】
更に、前記販売許可を受けた販売端は物理的な商店である。
【００１０】
更に、前記販売許可を受けた販売端はオンラインのネット通販サイトである。
【００１１】
更に、前記消費者端の前記フィードバックユニットは、電子機器及びフィードバックアプリケーションプログラムを含み、前記フィードバックアプリケーションプログラムは、前記製造端により承認されて前記電子機器に搭載され、前記消費者端は、前記フィードバックアプリケーションプログラムを利用して前記電子機器を介し、前記商品情報及び前記使用許可身分検証情報を前記製造端へ伝送し、前記製造端の前記演算ユニットが前記消費者端へ伝送する前記マッチング検証情報は、前記フィードバックアプリケーションプログラムにより前記電子機器に表示される。
【００１２】
更に、前記商品情報を前記商品上に表現する形式は、２次元バーコード、バーコード及び文字コードからなる群から選ばれる。
【００１３】
更に、前記使用許可身分検証情報を前記商品上に表現する形式は、２次元バーコード、バーコード及び文字コードからなる群から選ばれる。
【００１４】
更に、前記マッチング検証情報は、ランダムに生成される１組の文字コードである。
【００１５】
このように、本発明の商品の偽造防止検証システムは、消費者が商品を購入する際、リアルタイムでその購入源が製造メーカから販売許可を受けた販売店であるかを検証し、悪人が偽造することが困難であるという技術効果を有する。
【図面の簡単な説明】
【００１６】
【図１】本発明の構成を示すブロック図である。
【図２】本発明の商品を示す図である。
【図３】本発明がフィードバックユニットを介して検証情報群をフィードバックする図である。
【図４】本発明がフィードバックユニットを介してマッチング検証情報の受けとりを示す図である。
【図５】本発明が情報表示ユニットを介してマッチング検証情報の受けとりを示す図である。
【図６】本発明のフィードバックアプリケーションプログラムを示す図である。
【発明を実施するための形態】
【００１７】
図１〜図４に示すように、本発明が提供する商品の偽造防止検証システムは、製造端１０と、少なくとも１つの販売許可を受けた販売端２０と、消費者端３０と、を含む。
【００１８】
製造端１０は、少なくとも１種類の商品４０を製造する製造メーカである。商品４０上には検証情報群４１を有する。検証情報群４１は、商品情報４１１及び使用許可身分検証情報４１２を含む。この他、製造端１０は、データ処理ユニット１１を有する。データ処理ユニット１１は、演算ユニット１１２及び記憶ユニット１１１を少なくとも含む。記憶ユニット１１１には、検証データ群が記憶されている。
詳細に述べると、検証情報群４１は、ラベル、タグなど、商品に設置することができる物でもよい。商品情報４１１と使用許可身分検証情報４１２とは、それぞれ２次元バーコード、バーコード又は文字コードの方式で表されてもよい。本実施例の商品情報４１１は、２次元バーコード（ＱＲ  ｃｏｄｅ）がラベル上に印刷された方式で表されている。使用許可身分検証情報４１２は、連続した文字コードがラベルに印刷された方式で表されている。記憶ユニット１１１は、商品情報４１１と使用許可身分検証情報４１２と、それら両者が組み合わされた関係とを記憶する。
【００１９】
製造端１０は、使用許可プログラムを介すか、承認して販売許可を受けた販売端２０へ商品４０を提供するか販売する上、使用許可身分検証情報４１２は、販売許可を受けた販売端２０の身分を識別するために用いる。これ以外に、販売許可を受けた販売端２０は、情報表示ユニット２１を有する。
詳細に述べると、販売許可を受けた販売端２０は、物理的な商店又はネット通販のサイトでもよく、その対応した使用許可身分検証情報４１２は独特な識別性を有する。即ち、多数の使用許可された販売端がそれぞれ製造端１０から同一種類の商品を得て、商品上に標示された使用許可身分検証情報４１２も異なる。また、情報表示ユニット２１は、コンピュータ、レジシステム又は移動通信機器を含んでもよい。情報表示ユニット２１は、ネットワークその他類似の手段により製造端１０と通信し、製造端１０から情報を受けとる。
【００２０】
消費者端３０は、販売許可を受けた販売端２０から商品を取得するか購入する。消費者端３０は、フィードバックユニット３１を介して商品情報４１１及び使用許可身分検証情報４１２を一緒に製造端１０のデータ処理ユニット１１へフィードバックする。データ処理ユニット１１は、受けとった商品情報４１１と使用許可身分検証情報４１２との組合せと、記憶ユニット１１１中に記憶した検証情報群４１とが一致するか比べ、一致するときに演算ユニット１１２がランダム又は非ランダムにマッチング検証情報１２を生成し、使用許可身分検証情報４１２が指し示す販売許可を受けた販売端２０は、販売許可を受けた販売端２０の情報表示ユニット２１及び消費者端３０のフィードバックユニット３１へマッチング検証情報１２を同時に伝送し、消費者端３０のフィードバックユニット３１が受信したマッチング検証情報１２が、販売許可を受けた販売端２０の情報表示ユニット２１が受信したマッチング検証情報１２と一致することを確認し、販売許可を受けた販売端２０が、製造端１０により承認された販売許可を受けた者であると認証する。
詳細に述べると、消費者端３０は、フィードバックユニット３１を有する消費者でもよい。フィードバックユニット３１は、電子機器３１１（例えば、携帯電話、タブレットコンピュータ又はパーソナルコンピュータ）及びフィードバックアプリケーションプログラム３１２を含んでもよい。フィードバックアプリケーションプログラム３１２は、製造端１０により承認され、電子機器３１１に搭載され（フィードバックアプリケーションプログラム３１２は、消費者端３０自らがダウンロードしてインストールすることができるように、製造端１０を介してネットワーク上に公開されてもよい）、消費者端３０は、実際に物理的な商店へ行くかネット通販のサイトを介して販売許可を受けた販売端２０から商品を選択してもよい。消費者端３０は、フィードバックアプリケーションプログラム３１２を利用して電子機器３１１を介し、商品情報４１１及び使用許可身分検証情報４１２を製造端１０へ伝送する。製造端１０の演算ユニット１１２が消費者端３０へ伝送するマッチング検証情報１２は、フィードバックアプリケーションプログラム３１２により電子機器３１１に表示される。
【００２１】
主な実施例において、消費者は、電子機器３１１を介してフィードバックアプリケーションプログラム３１２を起動し、電子機器３１１の撮影レンズで撮影し、商品情報４１１の２次元バーコードを読取り、フィードバックアプリケーションプログラム３１２中に使用許可身分検証情報４１２の文字コードを入力し、両者が一緒にフィードバックアプリケーションプログラム３１２を介して製造端１０のデータ処理ユニット１１へ伝送される（図３を参照する）。データ処理ユニット１１は、消費者端３０が伝送した情報を受けとった後、記憶ユニット１１１中に記憶した検証情報群と比べ、商品情報４１１と使用許可身分検証情報４１２との組合せに間違いが無いことが確認されたときに、演算ユニット１１２は、受けとった使用許可身分検証情報４１２に基づいて販売許可を受けた販売端２０の身分を認識し、ランダム又は非ランダムに特殊な演算方式によりマッチング検証情報１２（文字コード）を発生させ、マッチング検証情報１２を消費者端３０のフィードバックアプリケーションプログラム３１２及び販売許可を受けた販売端２０の情報表示ユニット２１へ伝送する。このとき消費者端３０のフィードバックアプリケーションプログラム３１２は、電子機器３１１上に表示され、マッチング検証情報１２を提示する（図４を参照する）。販売許可を受けた販売端２０の情報表示ユニット２１もスクリーンで表示するなどの方式でマッチング検証情報１２を表示する。
消費者端３０は、両者が一致するか比べ、販売許可を受けた販売端２０が製造端１０から許可を受けた販売の経路であることを確認する。これ以外に、製造端１０の検証情報群４１が消費者端３０のフィードバックユニット３１からフィードバックする商品情報４１１及び使用許可身分検証情報４１２を受信すると、演算ユニット１１２は、マッチング検証情報１２を消費者端３０へフィードバックする以外に、販売端身分説明情報を消費者端３０へフィードバックして消費者端３０の判断が一致するか否かを補助する。例えば、販売許可を受けた販売端２０の名称、アドレス、電話、ホームページ・アドレスなどの情報、さらにフィードバック時間情報を消費者端３０及び販売許可を受けた販売端２０へ別途フィードバックして比較を補助し、消費者端３０は、両者の時間が正確で一致するか確認して検証の補助としてもよい。
図６に示すのは本発明の実際の使用状況の例示である。消費者は、フィードバックアプリケーションプログラム３１２中に使用許可身分検証情報４１２を入力し、商品情報をスキャンするとともに、携帯電話の番号とともに製造端へ一緒に伝送し、製造端は、使用許可を受けた販売端の基本情報、商品の写真などをフィードバックするとともに、マッチング検証情報を消費者が入力した携帯電話の番号と、使用許可を受けた販売端とへ伝送して比べる。
【００２２】
本発明の他の実施可能な例において、使用許可を受けた販売端はネット通販経路でもよく、情報表示ユニットはそのホームページでもよく、製造端がフィードバックするマッチング検証情報はリアルタイムでそのホームページで更新し、消費者端が調べて比較することができるようにしてもよい。
【００２３】
ここでこの検証動作は、消費者端で商品を購入後に行うだけでなく、購入前に行って間違いが無いことを確認してから購入し、自らの権益を確保してもよい。
【００２４】
本発明の主な実施例においては、電子装置に搭載されるフィードバックアプリケーションプログラムをフィードバックユニットして用いるが、本発明のその他可能な実施例において、フィードバックユニットは、ネットワークに接続される電子機器（例えば、スマートフォン、タブレットコンピュータ又はパーソナルコンピュータ）を含むだけでなく、商品情報（例えば、２次元バーコード）を読取って製造端の特定のホームページ（商品情報に応じて異なるホームページ・アドレス又はコードを有する）にアクセスし、製造端が商品情報を同時に受取り、使用許可身分検証情報と比較・演算する。フィードバックユニットは、携帯電話ショートメッセージシステム、電子メールシステム又は通信アプリケーションシステムなどを含んでもよい。即ち、消費者端は、携帯電話のショートメッセージ、電子メール又は通信ソフトウェアを利用し、製造端からのフィードバック情報を受信してもよい。
【００２５】
しかし、仮に製造端へフィードバックした検証情報群が製造端を介して比べた結果、その記憶ユニット中に記憶したデータが一致しないことを見つけると、それは、以下数種類の状況に分けられ、製造端は、以下の比較判断結果を消費者端のフィードバックユニットへフィードバックする。
（１）商品情報及び使用許可身分検証情報がともに記憶ユニット中に記憶したデータと一致しない場合：製造端がこの商品を生産も販売もしていないことを表し、この店は製造端の商品の販売許可を全く得ていない。
（２）商品情報が記憶ユニット中で一致するが、使用許可身分検証情報が一致しない場合：製造端が確かにこの商品を製造・販売しているが、この店は製造端の商品の販売許可を全く得ていない。
（３）使用許可身分検証情報が記憶ユニット中で一致するが、商品情報が一致しない場合：この店は確かに製造端から商品の販売許可を得ているが、この商品は製造端で製造した商品ではない。
（４）商品情報及び使用許可身分検証情報は、それぞれ記憶ユニット中で一致するが、両者の組合せは、記憶ユニット中で一致しない場合：この商品は確かに製造端で製造された物であり、この店も製造端から商品の販売許可を確実に得ているが、この商品は店が得た使用許可範囲内にない。
【００２６】
上述のシステムを介し、本発明は、製造メーカから許可を受けた販売経路の店であるか確実かつ効果的にリアルタイムで検証することができ、情報を製造メーカへフィードバックするとき、製造メーカからフィードバックメカニズムがリリースされ、マッチング検証情報が店の手を経ずに、必ず製造メーカから発せられるため、マッチングの信頼度が非常に高く、店は消費者と完全に同じマッチング検証情報を示さない限り、販売許可を受けた店であることを証明することはできない。
また、製造メーカへフィードバックされるため、製造メーカは、同時に商品情報及び使用許可身分検証情報の両者の組合せに対して比較・検証を行い、フィードバックされた使用許可身分検証情報が、製造メーカのデータベース中に確実に存在するが（この店は、製造メーカから使用許可を確実に受けている）、商品の型式又は種類が一致せず、消費者はこの店が使用許可を受けていることを知ることができるが、検証した商品がその使用許可の範囲に含まれないので疑念を感じる。
【００２７】
以上述べたことは、単なる本発明の好適な実施例であり、本発明の範囲はこれに限定されるわけではない。
【符号の説明】
【００２８】
１０    製造端
１１    データ処理ユニット
１２    マッチング検証情報
２０    販売許可を受けた販売端
２１    情報表示ユニット
３０    消費者端
３１    フィードバックユニット
４０    商品
４１    検証情報群
１１１  記憶ユニット
１１２  演算ユニット
３１１  電子機器
３１２  フィードバックアプリケーションプログラム
４１１  商品情報
４１２  使用許可身分検証情報
【図１】
2017511548.tif 000003
【図２】
2017511548.tif 000004
【図３】
2017511548.tif 000005
【図４】
2017511548.tif 000006
【図５】
2017511548.tif 000007
【図６】
2017511548.tif 000008
【国際調査報告】
2017511548.tif 000009
2017511548.tif 000010
2017511548.tif 000011
2017511548.tif 000012